(57)【要約】【課題】  空気流通方向両端の露出端面での空気流通路内のコルゲートフィンの端部損傷を、熱交換効率の低下を抑制しつつ、しかも部品点数の増加及び製造コストの増加を伴うことなく確実に防止できる航空機用空冷式熱交換器を提供する。【解決手段】  流体流通方向両側のサイドバー２Ａ，２Ａ間に配置されたコルゲートフィン１Ａと、同じく流体流通方向両側のサイドバー２Ｂ，２Ｂ間に配置されその流体流通方向が前記コルゲートフィン１Ａと直交するコルゲートフィン１Ｂとが、両側のサイドバーと共にチューブプレート３を介して交互に積層された直交流式のプレートフィン型熱交換器からなる。空気流通方向両端側の露出端面において、空気流通路５Ａ内に配置されたコルゲートフィン１Ａの先端面を、前記サイドバー２Ｂの側面、及び前記サイドバー２Ａ，２Ａの各端面等に対して流路内側へ退避させる。【選択図】  図１
2014163550.tif 000002
【特許請求の範囲】
【請求項１】
両側のサイドバー間に配置された直交する２方向のコルゲートフィンが、両側のサイドバーと共にチューブプレートを介して交互に積層されると共に、積層方向の両端部がエンドプレートにより閉塞され、直交する２方向のコルゲートフィンのうちの一方が配置されたチューブプレート間に空気が流通し、他方が配置されたチューブプレート間を被冷却流体が流通するプレートフィン型の空冷式熱交換器からなり、
当該空冷式熱交換器の空気流通方向の少なくとも一方の端面において、空気流路用のコルゲートフィンの先端面が、被冷却流体流路用のサイドバーの側面より空気流路内側へ退避している航空機用空冷式熱交換器。
【請求項２】
請求項１に記載の航空機用空冷式熱交換器において、空気流路用のコルゲートフィンの先端面が被冷却流体流路用のサイドバーの側面より空気流路内側へ退避する熱交換器端面は、空気流通方向の両端面である航空機用空冷式熱交換器。
【請求項３】
請求項１又は２に記載の航空機用空冷式熱交換器において、空気流路用のコルゲートフィンの先端面より空気流通方向外側へ突出する被冷却流体流路用のサイドバーの側面は、隣接する空気流路に向かって湾曲した空気流通方向外側へ凸の弧状曲面である航空機用空冷式熱交換器。
【請求項４】
請求項１〜３の何れかに記載の航空機用空冷式熱交換器において、空気流路両側のサイドバーの先端面及びエンドプレートの空気流通方向端面は、被冷却流体流路用のサイドバーの側面と同一平面上に位置する突出端面である航空機用空冷式熱交換器。
【請求項５】
請求項４に記載の航空機用空冷式熱交換器において、空気流路両側のサイドバーの突出端面及びエンドプレートの突出端面は、隣接する空気流路に向かって湾曲した空気流通方向外側へ凸の弧状曲面である航空機用空冷式熱交換器。
【請求項６】
請求項１〜５の何れが記載の航空機用空冷式熱交換器において、空気流路用のコルゲートフィンの先端面の被冷却流体流路用のサイドバーの側面に対する退避量は１ｍｍ以上、前記サイドバーの空気流通方向寸法未満である航空機用空冷式熱交換器。
【発明の詳細な説明】
【技術分野】
【０００１】
本発明は、航空機に搭載される空冷式のプレートフィン型熱交換器に関し、特に、冷却用空気の導入のために機外に臨んで設置される航空機用空冷式熱交換器に関する。
【背景技術】
【０００２】
航空機にはエンジンオイル用クーラーや空気調和機用熱交換器を始めとして各種の空冷式熱交換器が搭載されており、搭載位置としては外気導入の容易性の点から、ファンシュラウドなどのエンジン周辺部が多い。また、このような航空機用空冷式熱交換器の構造としては、主に重量、熱交換効率の観点からプレートフィン型のものが多く採用されている。代表的なプレートフィン型熱交換器は直交流形式である（特許文献１，２参照）。
【０００３】
直交流形式のプレートフィン型熱交換器は、図３に示すように、流体流通方向両側のサイドバー２Ａ，２Ａ間に配置されたコルゲートフィン１Ａと、同じく流体流通方向両側のサイドバー２Ｂ，２Ｂ間に配置されその流体流通方向が前記コルゲートフィン１Ａと直交するコルゲートフィン１Ｂとが、両側のサイドバー２Ａ，２Ａ及び２Ｂ，２Ｂと共に、チューブプレート３を介して交互に積層されると共に、積層方向の両端部がエンドプレート４，４により閉塞されることにより構成される。エンドプレート４，４は、通常はサイドプレートと称されるが、サイドバー２との位置的関係の相違を明確にするため、ここではエンドプレート（端板）と称する。
【０００４】
この熱交換器が空冷式の場合、直交する２方向のコルゲートフィン１Ａ，１Ｂのうちの一方が配置されたサイドバー２Ａ，２Ａ間の空間が空気流通路５Ａとなり、他方が配置されたサイドバー２Ｂ，２Ｂ間の空間が被冷却流体流通路５Ｂとなる。これにより、空気流通路５Ａと被冷却流体流通路５Ｂとが、チューブプレート３を介して交互に直交しつつ積層されることになる。そして、空気流通路５Ａにおける流体流通方向両端側の熱交換器端面は、空気流通路５Ａの両端開放のために露出端面となっているのに対し、被冷却流体流通路５Ｂにおける流体流通方向両端側の熱交換器端面は、被冷却流体の分配供給、集合回収のためにヘッダー６，６により閉塞されている。
【０００５】
このようなプレートフィン型熱交換器は、素材がアルミニウム系の金属からなり、且つ薄板が多用されているので、熱交換性能に優れる上に軽量であるという特徴があり、この点から航空機用熱交換器に多用されている（特許文献３参照）。しかしながら、航空機用空冷式熱交換器の場合は、空気流通路５Ａへの外気導入に関連して、熱交換器の空気流入側の露出端面が機外に臨むため、その露出端面に氷や鳥などの飛来物が衝突する危険性がある。そして、その露出端面に氷や鳥などの飛来物が衝突した場合、露出端面に露出する部材のうち、空気流通路５Ａ内のコルゲートフィン１Ａが変形し、問題となる。
【０００６】
すなわち、熱交換器の露出端面においては、図３からも分かるように、空気流通路５Ａ内のコルゲートフィン１Ａの先端縁部が露出する。その板厚は一般に０．１ｍｍオーダー
と非常に薄い。このため、熱交換器の露出端面に飛来物が衝突すると、コルゲートフィン１Ａの先端部が容易に変形を起こし、その変形は熱交換性能に悪影響を与える原因になる。
【０００７】
熱交換器の空気流入側に位置する露出端面におけるコルゲートフィン１Ａの損傷防止策として通常は、その露出端面に板厚の厚いガードフィンなどの保護部材が取付けられるが、その取付けが、かえって空気流入の妨げとなり、熱交換性能を低下させる危険性がある。また、部品点数が増加し、製造コストに悪影響を与えると共に、航空機で最も大きな問題の一つである重量増加を招く原因にもなる。
【０００８】
ガードフィンなどの保護部材は、熱交換器を機体へ取付けた後の使用中のみならず、熱交換器の組立工程、運搬工程、機体への取付け工程などでのハンドリング中及び保管中のフィン破損の防止にも役立つので、熱交換器の空気流出側に位置する反対側の露出端面にも、ガードフィン又はこれに類する保護部材が取付けられることがある。
【０００９】
これからわかるように、直交流形式のプレートフィン型熱交換器からなる航空機用空冷式熱交換器の弱点の一つは、空気流通路露出端面での空気流通路内のコルゲートフィン端部の変形損傷である。
【先行技術文献】
【特許文献】
【００１０】
【特許文献１】実公平６−２４６９１公報
【特許文献２】実公平６−４５１６２公報
【特許文献３】特開２００９−３６１９３号公報
【発明の概要】
【発明が解決しようとする課題】
【００１１】
本発明の目的は、高効率で軽量な直交流形式のプレートフィン型熱交換器から構成されるにもかかわらず、その露出端面での空気流通路内のコルゲートフィンの端部損傷を、熱交換効率の低下を抑制しつつ、しかも部品点数の増加及び製造コストの増加を伴うことなく確実に防止でき、なおかつ使用中はもとよりハンドリング中及び保管中にもコルゲートフィンの端部損傷を確実に防止できる極めて合理性の高い航空機用空冷式熱交換器を提供することにある。
【課題を解決するための手段】
【００１２】
上記目的を達成するために、本発明者は直交流形式のプレートフィン型熱交換器から構成された航空機用空冷式熱交換器に特徴的な露出端面の構成に着目した。すなわち、この露出端面では、図３に示されているとおり、積層方向両端のエンドプレート４，４間に空気流通路５Ａ内のコルゲートフィン１Ａと、被冷却流体流通路５Ｂを形成するためのサイドバー２Ｂとが交互に並び、より具体的にはコルゲートフィン１Ａの流体流通方向端面とサイドバー２Ｂの流体流通方向側面とが交互に並ぶ。
【００１３】
ここで、サイドバー２Ｂの高さＴはコルゲートフィン１Ａの高さＨと同程度であり、通常数ｍｍである。高さＨが数ｍｍのコルゲートフィン１Ａは、板厚が０．１ｍｍオーダーと非常に薄いため、その高さＨに関係なく脆弱であるが、高さＴが数ｍｍであるサイドバー２Ｂは本来的に高強度である上に、空気流通方向の寸法（奥行き）、すなわち材料幅Ｗｂも高さＴと同程度に確保されており、更にはろう付けにより他の部材と一体化されていることもあって、空気流通方向に対して十分な機械的強度を示す。事実、熱交換器の空気流入側の露出端面に飛来物が衝突してもサイドバー２Ｂの損傷は小さい。また、サイドバー２Ｂの配列間隔は、コルゲートフィン１Ａの高さＨに実質一致し、数ｍｍ程度である。
【００１４】
このような露出端面構成に着目した本発明者は、サイドバー２Ｂの側面に対するコルゲートフィン１Ａの端面の、空気流通方向（奥行き方向）における位置関係によっては、サイドバー２Ｂがコルゲートフィン１Ａに対する効果的な保護グリッドとして機能できることを知見した。
【００１５】
本発明の航空機用空冷式熱交換器は、かかる知見に基づいてなされたものであり、両側のサイドバー間に配置された直交する２方向のコルゲートフィンが、両側のサイドバーと共にチューブプレートを介して交互に積層されると共に、積層方向の両端部がエンドプレートにより閉塞され、直交する２方向のコルゲートフィンのうちの一方が配置されたチューブプレート間に空気が流通し、他方が配置されたチューブプレート間を被冷却流体が流通するプレートフィン型の空冷式熱交換器からなり、当該空冷式熱交換器の空気流通方向の少なくとも一方の端面において、空気流路用のコルゲートフィンの先端面が、被冷却流体流路用のサイドバーの側面より空気流路内側へ退避していることを構成上の特徴点としている。
【００１６】
直交流形式のプレートフィン型熱交換器からなる従来の航空機用空冷式熱交換器においては、空気流通方向端面は、空気流路用のコルゲートフィンの先端面と被冷却流体流路用のサイドバーの側面とが空気流通方向で同じ位置にあるフラット面であり、その場合に空気流通方向端面に飛来物や障害物が衝突すると、強度的に脆弱なコルゲートフィンの先端部が限定的、集中的に変形損傷するのを避け得ない。
【００１７】
しかし、空気流路用のコルゲートフィンの先端面が、被冷却流体流路用のサイドバーの側面より空気流路内側へ退避していると、前者に対して後者が相対的に突出するので、空気流通方向端面に飛来物や障害物が衝突した場合に、その衝撃が強度的に強靱な被冷却流体流路用のサイドバーで集中的に受けられ、サイドバーより空気流通方向内側へ退避したコルゲートフィンの先端部には伝わらない。こうして、露出端面における被冷却流体流路用のサイドバーが、空気流路用のコルゲートフィンに対する保護グリッドとして機能することにより、ガイドフィンなどの保護部材を取付けずとも、コルゲートフィンの先端部損傷が効果的に防止される。
【００１８】
空気流路用のコルゲートフィンの先端面を被冷却流体流路用のサイドバーの側面より空気流路内側へ退避させる露出端面は流通方向両端でもよいし、何れか一方でもよい。何れか一方の場合はその側を空気流入側とすることにより、飛来物や障害物の衝突によるコルゲートフィン先端部の変形損傷を防止できる。また、空気流入側の露出端面でハンドリング時や保管時での障害物衝突によるフィン先端部の損傷を防止できる。流通方向両端でこの退避構造を採用するならば、空気流入側の露出端面で同様の効果が得られると共に、空気流出側の露出端面でもハンドリング時や保管時での障害物衝突によるフィン先端部の損傷を防止することが可能となる。
【００１９】
空気流路用のコルゲートフィンの先端面が被冷却流体流路用のサイドバーの側面より空気流路内側へ退避することに伴って、サイドバーの側面がコルゲートフィンの先端面より空気流通方向外側へ突出する。このサイドバーの突出側面は隣接する空気流路に向かって湾曲した空気流通方向外側へ凸の弧状曲面とするのがよい。そうすることにより、サイドバーの弧状突出側面が流入空気に対して整流機能（ベルマウス機能）を発揮し、乱流発生を抑制することにより、隣接する空気通路への空気流入を円滑にする。その結果、サイドバーの側面が突出することによる段差形成に伴う空気流入効率の低下が抑止されるのみならず、その空気流入効率が積極的に向上することも期待できる。
【００２０】
空気流路用のコルゲートフィンを取り巻く被冷却流体流路用のサイドバー以外の部材、例えば空気流路両側のサイドバー、積層方向両端のエンドプレートなどについては、それらの端面を被冷却流体流路用のサイドバーの側面と同一平面上に位置する突出端面として、これら部材も保護グリッドの一部として機能させるのがよい。また、これらの突出端面を、被冷却流体流路用のサイドバーの側面と同様に、隣接する空気流路に向かって湾曲した空気流通方向外側へ凸の弧状曲面とするのがよい。そうすることにより、空気流路への空気流入効率をより高めることができる。
【００２１】
熱交換器の空気流通方向端面におけるコルゲートフィン先端面のサイドバー側面に対する退避量は下限については１ｍｍ以上が好ましく、上限については、サイドバーの空気流通方向寸法（奥行き）未満、すなわち材料幅Ｗｂ未満が好ましく、材料幅Ｗｂの１／２以下がより好ましい。この退避量は、熱交換器の空気流通方向端面におけるサイドバー側面のコルゲートフィン先端面に対する突出量でもある。これが小さいと熱交換器の空気流通方向端面に飛来物や障害物が衝突したときのコルゲートフィン先端部の変形損傷を抑制する効果が小さい。反対にこれが大きすぎると熱交換器製造時のろう付け性が低下し、熱交換器の機械的強度の低下が問題になる。
【００２２】
すなわち、熱交換器はろう付けにより製造される。そのろう付け工程では構成部材が積層方向に加圧された状態で加熱されるが、熱交換器の空気流通方向端面におけるコルゲートフィン先端面のサイドバー側面に対する退避量が大きいと、その端面近傍においてコルゲートフィンとサイドバーとの重なり代が小さくなり、ろう付け時の加圧力が積層方向で十分に伝達され難くなり、ろう付け性が低下する結果、熱交換器の機械的強度が低下する。特に、この退避量がサイドバーの空気流通方向寸法（奥行き）以上、すなわち材料幅Ｗｂ以上となると、コルゲートフィンとサイドバーとの重なり代が消失し、ろう付け性が極端に悪化するので、退避量をサイドバーの空気流通方向寸法（奥行き）未満、すなわち材料幅Ｗｂ未満とすることは特に重要である。
【発明の効果】
【００２３】
本発明の航空機用空冷式熱交換器は、直交流形式のプレートフィン型熱交換器からなる空冷式熱交換器の空気流通方向の少なくとも一方の露出端面において、空気流路用のコルゲートフィンの先端面が、被冷却流体流路用のサイドバーの側面より空気流路内側へ退避した構成を採用することにより、そのサイドバー自体を保護グリッドとして機能させるので、ガードフィンなどの保護部材を付加することなく、使用中の飛来物の衝突による露出端面での空気流通路内のコルゲートフィンの端部損傷、更にはハンドリング中及び保管中の障害物の衝突による露出端面での空気流通路内のコルゲートフィンの端部損傷を防止できる。このため、端面保護に伴う熱交換効率の低下を効果的に抑制できる。また、部品点数の増加及び製造コストの増加を効果的に回避できる。
【図面の簡単な説明】
【００２４】
【図１】本発明の第１実施形態を示す航空機用空冷式熱交換器の構成を示す概念図で斜視図である。
【図２】本発明の第２実施形態を示す航空機用空冷式熱交換器の構成を示す概念図で斜視図である。
【図３】従来の航空機用空冷式熱交換器の構成を示す概念図で斜視図である。
【発明を実施するための最良の形態】
【００２５】
以下に本発明の実施形態を図面に基づいて説明する。
【００２６】
第１実施形態の航空機用空冷式熱交換器は、例えば機内の空気調和に使用されるものであり、ガスタービンエンジンのファンシュラウドに外気の取り入れが可能に取付けられている。この航空機用空冷式熱交換器は、図３に示した従来の航空機用空冷式熱交換器と同様に、直交流形式のプレートフィン型熱交換器により構成されている。
【００２７】
その基本構造を図１により説明すると、流体流通方向両側のサイドバー２Ａ，２Ａ間に配置された第１のコルゲートフィン１Ａと、同じく流体流通方向両側のサイドバー２Ｂ，２Ｂ間に配置されその流体流通方向がコルゲートフィン１Ａと直交する第２のコルゲートフィン１Ｂとが、両側のサイドバー２Ａ，２Ａ及び２Ｂ，２Ｂと共にチューブプレート３を介して交互に積層されており、積層方向両端部はエンドプレート４，４により閉塞されている。
【００２８】
隣接するチューブプレート３，３間の空間のうち、第１のコルゲートフィン１Ａが配置されたサイドバー２Ａ，２Ａ間の空間が空気流通路５Ａであり、第２のコルゲートフィン１Ｂが配置されたサイドバー２Ｂ，２Ｂ間の空間が被冷却流体通路５Ｂである。これにより、直交する空気流通路５Ａと被冷却流体通路５Ｂとが交互に積層されることになり、積層方向両端は共に空気流通路５Ａである。
【００２９】
空気流通路５Ａの流通方向両端は開放されている。このために、空気流通路５Ａの流通方向両端側の熱交換器端面は露出端面となっている。空気流通路５Ａと直角な被冷却流体流通路５Ｂの流通方向両端は、被冷却流体の分配供給、集合回収のために、熱交換器のもう一方の端面に取付けられたヘッダー６，６内と連通している。
【００３０】
ここで、サイドバー２Ａの高さはコルゲートフィン１Ａの高さＨと同じであり、サイドバー２Ｂの高さＴはコルゲートフィン１Ｂの高さと同じである。またエンドプレート４の高さ、コルゲートフィン１Ａ，１Ｂの板厚、チューブプレート３の厚さ、及びサイドバー２Ａ，２Ｂの材料幅Ｗａ，Ｗｂは、想定される航空機の性能によって適宜決定される。具体例を示すならば、高さＨは5 ｍｍ、高さＴは３ｍｍであり、エンドプレート４の高さは３ｍｍ、コルゲートフィン１Ａ，１Ｂの板厚は０．１ｍｍである。また、サイドバー２Ａ，２Ｂの材料幅Ｗａ，Ｗｂはそれぞれの高さと同じ５ｍｍ，３ｍｍであり、チューブプレート３の厚さは１ｍｍである。更にまた、空気流通路５Ａ及び被冷却体流通路５Ｂの段数を含む全体のサイズについては、想定される航空機の性能によって適宜決定される。
【００３１】
ここまでは、図３に示した従来の航空機用空冷式熱交換器と同じである。図３に示した従来の航空機用空冷式熱交換器と相違するのは、熱交換器の空気流通方向端面である露出端面の構造である。具体的には、図１に示されるように、熱交換器の空気流通方向両端側の露出端面において、空気流通路５Ａ内に配置されたコルゲートフィン１Ａの先端面が、被冷却流体通路５Ｂを形成するためのサイドバー２Ｂの側面、及び積層方向両端のエンドプレート４，４の各端面に対して流路内側へ退避している。また、コルゲートフィン１Ａの両側に配置されたサイドバー２Ａ，２Ａの各先端面、及びチューブプレート３の流体流通方向端面は、サイドバー２Ｂの側面、及びエンドプレート４，４の各端面と同じ位置にある。
【００３２】
つまり、熱交換器の空気流通方向両端側の露出端面においては、空気流通路５Ａ内に配置されたコルゲートフィン１Ａの先端面を除く部材表面が同一平面上にあり、その平面に対してコルゲートフィン１Ａの先端面のみが流路内側へ退避しているのである。その退避量はＳで表されており、ここでは１ｍｍ以上、サイドバー２Ｂの材料幅Ｗｂ（３ｍｍ）の１／２以下、すなわち１．５ｍｍ以下とされている。
【００３３】
このように構成された第１実施形態の航空機用空冷式熱交換器においては、空気流通方向両端側の露出端面において空気流通路５Ａ内に配置されたコルゲートフィン１Ａの先端面のみが他の部材表面、すなわち、上下のサイドバー２Ｂの側面、両側のサイドバー２Ａ，２Ａの各先端面、エンドプレート４，４の各端面及びチューブプレート３の流体流通方向端面に対して流路内側へ退避することにより、これらの他の部材表面がコルゲートフィン１Ａの先端面に対して空気流路外側へ突出することになる。その結果、使用中に空気流入側の露出端面に鳥や氷などの飛来物が衝突しても、その衝撃は突出した他の部材表面にのみ及び、他の部材が保護グリッドの如く機能することから、空気流通路５Ａ内に配置されたコルゲートフィン１Ａの先端部は、ガードフィンなどの別部材を使用せずとも効果的に保護される。
【００３４】
同様に、熱交換器の組立工程、運搬工程、機体への取付け工程などでのハンドリング中及び保管中に障害物がいずれの露出端面に衝突しても、その衝撃はコルゲートフィン１Ａを除く他の部材表面で受けられることになり、コルゲートフィン１Ａの先端部損傷が回避される。他の部材は機械的強度が大きいために衝突による衝撃でも問題となる損傷を生じることはない。チューブプレート３は薄板のため単体では機械的強度が小さいが、サイドバー２Ａ，２Ａ及び２Ｂ，２Ｂをろう付けにより固定するためにこれらと密着し接合されているので、衝突による損傷の危険はない。
【００３５】
図２に示された第２実施形態の航空機用空冷式熱交換器は、図１に示された第１実施形態の航空機用空冷式熱交換器と主要構造は同じである。すなわち、空気流通方向両端側の露出端面において空気流通路５Ａ内に配置されたコルゲートフィン１Ａの先端面のみが他の部材表面に対して流路内側へ退避していることは、図１に示された第１実施形態の航空機用空冷式熱交換器と同じである。
【００３６】
図１に示された第１実施形態の航空機用空冷式熱交換器と相違するのは、空気流通路５Ａ内に配置されたコルゲートフィン１Ａ以外の部材の表面、具体的には、空気流通路５Ａ内のコルゲートフィン１Ａの上下に配置されたサイドバー２Ｂの側面、両側に配置されたサイドバー２Ａ，２Ａの各先端面、及びエンドプレート４，４の端面が、コルゲートフィン１Ａの先端面に対して空気流路外側へ突出することにより、コルゲートフィン１Ａの先端面のみが他部材の表面に対して流路内側へ退避していることであり、今一つは空気流通方向両端側の露出端面において突出したこれらの他部材の表面、すなわちサイドバー２Ｂの突出側面、サイドバー２Ａ，２Ａの各突出端面、及びエンドプレート４，４の各突出端面が、隣接する空気流通路５Ａに向かって湾曲した流路外側へ凸の弧状曲面に形成されている点である。
【００３７】
空気流通方向両端側の露出端面において空気流通路５Ａ内に配置されたコルゲートフィン１Ａの先端面を他部材の表面に対して単純に退避させるだけでなく、コルゲートフィン１Ａの先端面に対して他部材の表面を突出させることによって、コルゲートフィン１Ａの先端面を他部材の表面に対して退避させることが可能なことは言うまでもない。
【００３８】
また、他部材の突出表面を上記したような弧状曲面とすることにより、空気流入側の露出端面では空気流通路５Ａへの入口がベルマウス形状となり、エッジ部に伴う乱流が抑制されることにより、空気の流入がスムーズとなる。更に、空気流出側の露出端面でも空気流通路５Ａからの出口がベルマウス形状となり、エッジ部に伴う乱流が抑制されることにより、空気の流出がスムーズとなる。これらの結果、図３に示された従来の航空機用空冷式熱交換器より熱交換効率が向上することさえ期待できる。
【００３９】
図３に示された従来の航空機用空冷式熱交換器では、格別の対策を講じない限り、他の部材のエッジ部による乱流の発生が、空気流通路５Ａへの空気の流入、及び空気流通路５Ａからの空気の流出を阻害する懸念がある。
【符号の説明】
【００４０】
１Ａ，１Ｂ  プレートフィン
２Ａ，２Ｂ  サイドバー
３  プレートフィン
４  エンドプレート
５Ａ  空気流通路
５Ｂ  被冷却流体流通路
６  ヘッダー
【図１】
2014163550.tif 000003
【図２】
2014163550.tif 000004
【図３】
2014163550.tif 000005